(57)【要約】【課題】両端のロープエンドが昇降路の頂部付近のロープ固定部に連結された複数本のロープの中間部で、つり合いおもりに設けられたおもり用プーリと乗りかごの下部に設けられたかご下プーリと巻上機のシーブとを介して、前記巻上機により駆動されるロープにより乗りかごを駆動するエレベーターでロープ交換時のロープ緩みに関するもの。【解決手段】主ロープ６と新主ロープ６ａを交換する場合に、図１に示す巻上シーブ部７ａでロープが緩んだことを検出する巻上シーブ側ロープ緩み検出手段１２と、新ロープ繰出しドラム１１に設置されたロープ非常止め手段１３を備え、かつロープ緩み検出手段１２とロープ非常止め手段１３との信号伝達を行う通信手段１２３、１３３を備えた構成とすることで、昇降路下部１ａで確認者不要としてロープ緩みを検出可能とし昇降路上部１ｂでロープを緊急停止可能とした。【選択図】図１
2005178972.tif 000002
【特許請求の範囲】
【請求項１】
両端が昇降路上部のロープ固定部にそれぞれ連結されるとともに、その中間部がつり合いおもりに設けられるつり合いおもりプーリと、乗りかごの下部に設けられるかご下プーリと、巻上機の巻上シーブとに順次掛回される主ロープの複数本の交換を、
前記主ロープがかご下プーリから外れることを規制するロープ外れ止めを取付けた状態で、
前記乗りかごを前記昇降路の上部で保持し、
前記つり合いおもりを前記昇降路下部で保持した状態で、
前記複数本の主ロープの内少なくとも２本以上の主ロープの一端を前記ロープ固定部から取り外して前記新主ロープの一端に接続すると共に、この新主ロープを繰出す新ロープ繰出しドラムと、前記主ロープの他端側を巻き取るロープ巻き取りドラムとを備えたエレベーターの主ロープ交換装置において、
前記主ロープと前記新主ロープを交換する場合に、前記巻上シーブ部で主ロープが緩んだことを検出する巻上シーブ側ロープ緩み検出手段と、前記新ロープ繰出しドラムに設置されたロープ非常止め手段と、前記ロープ緩み検出手段と前記ロープ非常止め手段に信号伝達を行う通信手段を備え、
前記主ロープ交換時に前記ロープ緩み検出手段がロープ緩みを検出した場合に前記通信手段でロープ非常止め手段へ信号を伝達し、前記ロープ非常止め手段を動作させて前記新ロープ繰出しドラムのロープ送り出しを停止することを特徴とするエレベーターの主ロープ交換装置。
【請求項２】
請求項１記載のエレベーターの主ロープ交換装置において、
つり合いおもりのつり合いおもりプーリ部で主ロープが緩んだことを検出するつり合いおもり側ロープ緩み検出手段を備え、
主ロープ交換時に主ロープが緩んだことを検出した場合に前記ロープ非常止め手段を動作させて前記新ロープ繰出しドラムのロープ送り出しを停止することを特徴とするエレベーターの主ロープ交換装置。
【請求項３】
請求項１または請求項２記載のエレベーターの主ロープ交換装置において、
ロープ緩み検出手段がロープ緩みを検出しロープ非常止め手段が動作した状態を作業者に通知するロープ緩み通報手段を備えたことを特徴とするエレベーターの主ロープ交換装置。
【請求項４】
請求項１〜３いずれか1項に記載のエレベーターの主ロープ交換装置において、
ロープ緩み検出手段はつり合いおもり部または巻上シーブ部のロープ回転状態を撮影する撮像手段と前記撮像手段で撮影した画像が変化したことを検出する画像認識手段とで構成されたことを特徴とするエレベーターの主ロープ交換装置。
【請求項５】
請求項４記載のエレベーターの主ロープ交換装置において、
ロープ緩み検出手段はつり合いおもり部または巻上シーブ部のロープの状態を撮像手段にて撮影した映像を表示するための映像表示手段を備え、この映像表示手段は通信手段を備え前記ロープ緩み検出手段から通信手段を介して信号を受信して映像を表示することを特徴とするエレベーターの主ロープ交換装置。
【請求項６】
請求項１〜３いずれか1項に記載のエレベーターの主ロープ交換装置において、
ロープ緩み検出手段はロープ周辺に設けたロープ囲い板にロープが接触すると動作するように構成したマイクロスイッチとで構成されたことを特徴とするエレベーターの主ロープ交換装置。
【発明の詳細な説明】
【技術分野】
【０００１】
本発明は、両端のロープエンドが昇降路の頂部付近のロープ固定部に連結された複数本のロープの中間部で、つり合いおもりに設けられたおもり用プーリと乗りかごの下部に設けられたかご下プーリと巻上機のシーブとを介し、前記巻上機により駆動される前記ロープにより前記乗りかごを駆動するエレベーターのロープ交換装置に関する。
【背景技術】
【０００２】
近年のエレベーターは、建屋内における占有容積率の低くできる機械室の無い、機械室レスエレベーターが設置される傾向にある。
【０００３】
機械室の無いエレベーターにおいて、両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本の主ロープの交換を、
前記主ロープがかご下プーリから外れることを規制するロープ外れ止めを取付けた状態で、前記乗りかごを前記昇降路の上部で保持し、
前記つり合いおもりを前記昇降路下部で保持した状態で、
前記複数本の主ロープの内少なくとも２本以上の主ロープの一端を前記ロープ固定部から取り外して前記新主ロープの一端に接続すると共に、この新主ロープを繰出す新ロープ繰出しドラムと、前記主ロープの他端側を巻き取るロープ巻き取りドラムとを備えたエレベーターの主ロープ交換方法が提案されている（特許文献１参照）。
【０００４】
また、エレベーター主ロープ交換装置ではロープ巻き取りドラムと新ロープ繰出しドラムを独立に動作可能としたものが提案されている（特許文献１参照）。
【特許文献１】特開２００３−２３８０４７号公報（段落００３４、第１０図、請求項４および段落００１４）
【発明の開示】
【発明が解決しようとする課題】
【０００５】
しかし前記特許文献１に記載のエレベーターの主ロープ交換方法はロープ巻き取りドラムと新ロープ繰出しドラムが同一軸上に設置され同一で回転する場合、新ロープドラムの送りはじめ時におけるロープドラムの送り径と、巻き取りはじめ時におけるロープ巻き取り径が異なり、ロープ送り出し量が多いため巻上シーブ部またはつり合いおもり部でロープ緩みが発生してしまう。
【０００６】
ロープ緩みが発生後に主ロープの巻き取り径と送り出し径が逆転し、巻き取り量が多くなると緩んだ主ロープが昇降路の下部の巻上シーブ周辺およびつり合いおもり周辺のブラケット等に引っ掛かりを生じる場合がある。
【０００７】
さらに、前記特許文献１に記載のロープ巻き取りドラムと新ロープ繰出しドラムを独立に回転可能とした構成では、ロープ巻き取りドラムが巻き取りしていない状態で新ロープ繰出しドラムのみが回転した場合に下部で緩みが発生してしまう。その状態で巻き取り作業を行うと緩んだ主ロープが昇降路の下部の巻上シーブ周辺およびつり合いおもり周辺のブラケット等に引っ掛かりを生じる場合がある。
【０００８】
そのため、昇降路下部でロープたるみ及び引っ掛かりを確認するために確認者を昇降路下部に配備する必要がある等の問題があった。
【０００９】
本発明は、上記のような問題点を鑑みてなされたもので、その目的は、主ロープ交換時に昇降路下部でロープ緩みが発生した場合に新ロープ繰出しドラムの回転を停止して、昇降路下部の巻き上げシーブ周辺の機器およびつり合いおもり周辺のブラケット等への引っ掛かりを抑制しロープ巻き取りドラムのみを独立動作させてロープ緩みを解消できるため、昇降路下部でのロープ緩み確認をする作業者を不要として、主ロープ交換を円滑に行うことを可能とすることにある。
【課題を解決するための手段】
【００１０】
両端が昇降路上部のロープ固定部にそれぞれ連結されるとともに、その中間部がつり合いおもりに設けられるつり合いおもりプーリと、乗りかごの下部に設けられるかご下プーリと、巻上機の巻上シーブとに順次掛回される主ロープの複数本の交換を、
前記主ロープがかご下プーリから外れることを規制するロープ外れ止めを取付けた状態で、前記乗りかごを前記昇降路の上部で保持し、
前記つり合いおもりを前記昇降路下部で保持した状態で、
前記複数本の主ロープの内少なくとも２本以上の主ロープの一端を前記ロープ固定部から取り外して前記新主ロープの一端に接続すると共に、この新主ロープを繰出す新ロープ繰出しドラムと、前記主ロープの他端側を巻き取るロープ巻き取りドラムとを備えたエレベーターの主ロープ交換装置において、
前記主ロープと前記新主ロープを交換する場合に、前記巻上シーブ部でロープが緩んだことを検出する巻上シーブ側ロープ緩み検出手段と、前記新ロープ繰出しドラムに設置された緊急ブレーキを備え、前記ロープ緩み検出手段と前記ロープ非常止め手段との信号伝達を行う通信手段を備えた昇降路下部のロープ緩み通報手段でロープ緩みを検出可能としたため、ロープ緩み止め検出手段との通信手段を備えた昇降路上部の送り側ドラムのロープ非常止め手段がロープ緩み信号を受け取った場合にロープ非常止め部を動作させ前記新ロープ繰出しドラムを停止させることが可能となる。このロープ非常止め手段が動作した状態で前記ロープ巻き取りドラムのみを巻き上げることで下部のロープの緩みを解消し、昇降路下部のロープ引っ掛かり及び昇降路下部の機器の損傷を防ぐことが出来る。また、このときロープ緩み止め検出手段がロープ緩みを検出しなくなり、再度ロープ非常止め手段を解除した後にロープ交換作業を行うことが可能となる。
【発明の効果】
【００１１】
請求項１によれば、昇降路下部での巻上シーブ部でロープ緩みが発生した場合にロープ緩み検出手段により新ロープ繰出しドラムの回転を停止することが出来るため、巻上シーブ部でのロープ緩みを確認する必要がなくなり、昇降路下部の作業者を低減できる。
【００１２】
また、請求項２によれば、請求項１同様に昇降路下部でのつり合いおもり部でロープ緩み検出手段によりロープ緩みが発生した場合に新ロープ繰出しドラムの回転を停止することが出来るため、巻上シーブ部でのロープ緩みを確認する必要がなくなり、昇降路下部の作業者を低減できる。
【００１３】
また、請求項３によれば、ロープ緩み通報手段からの信号により昇降路上部の作業者がロープ緩みが発生したことによるロープ非常止め手段を容易に確認できるためロープ巻き取りドラムのみの動作を容易に行うことが出来る。
【００１４】
また、請求項４によれば、前記撮像手段と前記画像認識手段により作業中のロープ画像の変化にて確認できるため昇降路下部の作業者を低減できる。
【００１５】
また、請求項５によれば、映像表示手段により作業員が目視でロープ緩み状態を確認できるため非常止め手段が動作した理由を確認できる。
【００１６】
また、請求項６によれば、ロープ周辺に囲ったプレートとプレートにロープが接触した場合にマイクロスイッチを押下する構成としたため、ロープ緩み検出手段を安価に構成できる。
【発明を実施するための最良の形態】
【００１７】
以下、本発明の一実施の形態を図に基づき説明する。
【００１８】
図１は本発明の一実施形態である主ロープ交換装置を設置したエレベーターの昇降路縦断面図、図２は図１の要部拡大図、図３は本発明の他の実施形態である主ロープ交換装置を設置したエレベーターの昇降路縦断面図、図４は本発明の画像認識によりロープ緩み検出手段を示した図、図５は本発明の他のロープ緩み検出手段の一例を示した図である。
【００１９】
図１に示すように、新ロープ繰出しドラム１１から予め巻きつけてある新ロープ６ａの一端を取り出し、ロープ接続部２１を介してロープの一端と接続し、上部ビーム８よりワイヤで吊下げた仮設滑車を介して昇降路１内の各プーリーへ引き出される。また、ロープ６の他端を昇降路１の頂部のロープ固定部から外して、上部ビーム８よりワイヤで吊下げた仮設滑車を介して、ロープ巻き取りドラム１０に接続している。
【００２０】
ロープ６を交換するときは巻上機７のシーブ部分を開放し、巻上シーブ７ａがロープ移動にあわせて回転するようにしてある。
【００２１】
昇降路下部１ａの巻上シーブ部７ａおよびつり合いおもりプーリ部４ａにはロープが緩んだことを検出するロープ緩み検出手段１２を設置し、このロープ緩み検出手段１２にはロープ緩みが発生したことを非常ロープ止め手段１３に通知する通信手段１２３が備えてある。
【００２２】
本実施例では乗りかご３の上の前記新ロープ繰出しドラム１１にロープ非常止め手段１３を備え、これはロープ緩み検出手段１２からの信号を受け取る通信手段１３３を備えている。
【００２３】
ここで、本実施例では通信手段１２３，１３３は図１ではアンテナ１２８を使用した無線手段を示しているが、有線での通信方法でもよい。
【００２４】
図２に示すように、ロープ交換ドラムユニット９は、新ロープ６ａを送り出す個々に回転可能な新ロープ繰出しドラム１１と既設のロープ６を巻き取るロープ巻き取りドラム１０と、新ロープ繰出しドラム１１の軸に支持された棒に固定され、ゆるみを検出した場合に楔状のロープはさみ込み部１３５としたロープ非常止め手段１３とから構成してある。
【００２５】
尚、本実施例では新ロープ側のみにロープ非常止め１３を設けているが、旧ロープ側が巻き取り方向と逆方向に回転してロープが緩んだ場合にも停止できるように、ロープ巻き取りドラム側１０と両方設置してもよい。
【００２６】
昇降路下部１ａでロープ緩みが発生した場合はロープ緩み検出手段１２でロープ緩みを検出し、昇降路上部１ｂのロープ非常止め手段１３に通信手段１２３、１３３を介して信号を伝送してロープの送りを停止することが可能としてある。
【００２７】
図４ｂに示すように前記ロープ緩み検出手段１２は、昇降路下部１ａのロープ部を撮影する撮像手段１２１とこの撮影した画像を認識し初期状態の画像と記憶して、記憶した画像と現在の画像とを比較することが可能な画像認識手段１２２と、画像認識手段１２２で検出した信号を伝送する通信手段１２３で構成してある。
【００２８】
画像認識手段１２２は図４ａにしめすように撮像手段１２１が撮影した画像を格子状に分割し、この格子状の画像を現在の画像と数秒前の画像とを比較し、変化があったことと検出可能としてある。
【００２９】
このように構成したことで、交換作業中のロープ部の画像比較を行い、画像に変化が合った場合にロープ緩みとして検出することが可能にしてある。
【００３０】
次に図３の本発明の他の実施例について示す。
【００３１】
図３は図１と同様に昇降路下部１ａの巻上シーブ部７ａおよびつり合いおもりプーリー部４ａにロープ緩み止め検出手段１２を備え、このロープ緩み検出手段１２を、図５に示すようにロープを囲むように囲い板１２５ａ〜１２５ｃを組み合わせた構成とした囲い板１２５と、この囲い板１２５にロープが接触した場合にロープ重量でばね１２４が押されてマイクロスイッチ１２６ａまたは１２６ｂがオンしてロープと接触したことを検出する構成としてある。マイクロスイッチ１２６ａまたは１２６ｂがオンしたことを通信手段１２３で昇降路上部１ｂの通信手段１３３に伝送し、ロープ非常止め手段１３が動作するように構成してある。
【００３２】
以上のように構成したことで、ロープ緩みが発生した場合に、昇降路上部１ｂの送り側ドラムのロープ非常止め手段１３を動作させることが可能となり、前記新ロープ繰出しドラム１１を停止させた状態で、前記ロープ巻き取りドラム１０のみを巻き回すことで昇降路下部１ａのロープ引っ掛かり及び昇降路下部１ａの機器の損傷を防ぐことが出来る。
【図面の簡単な説明】
【００３３】
【図１】本発明の一実施形態である主ロープ交換装置を設置したエレベーターの昇降路縦断面図。
【図２】図２は図１の要部拡大図。
【図３】本発明の他の実施形態である主ロープ交換装置を設置したエレベーターの昇降路縦断面図。
【図４】本発明の画像認識によりロープ緩み検出手段を示した図。
【図５】本発明の他のロープ緩み検出手段の一例を示した図。
【符号の説明】
【００３４】
１  昇降路
１ａ  昇降路の底部
１ｂ  昇降路の頂部
２  かご側レール
２ａ  かご側レールブラケット
３  かご
３ａ  かご下プーリ
４  つり合いおもり
４ａ  つり合いおもりプーリ
６  主ロープ
６ａ  新主ロープ
７  巻上機
７ａ  巻上シーブ
７ｂ  ブレーキ開放レバー
８  ロープ固定ビーム
８ａ  かご側頂部プーリ
８ｂ  つり合いおもり側頂部プーリ
９  ロープ交換ドラムユニット
１０  ロープ巻き取りドラム
１１  新ロープ繰り出しドラム
１２  ロープ緩み検出手段
１３  ロープ非常止め手段
１４  ロープ外れ止め
２１  ロープ接続部
１２１  撮像手段
１２２  画像認識手段
１２３  通信手段
１２４  ばね
１２５  囲い板
１２５ａ  囲い板ａ
１２５ｂ  囲い板ｂ
１２５ｃ  囲い板ｃ
１２６ａ  マイクロスイッチａ
１２６ｂ  マイクロスイッチｂ
１２８  アンテナ
１３３  通信手段
１３５  ロープはさみ込み部
【図１】
2005178972.tif 000003
【図２】
2005178972.tif 000004
【図３】
2005178972.tif 000005
【図４】
2005178972.tif 000006
【図５】
2005178972.tif 000007